(57)【特許請求の範囲】
【請求項１】
出力される情報の元になる情報である２以上の各主情報を受信する主情報受信部と、
主情報を処理して、出力する情報である出力情報を取得する際に使用される情報であり、主情報に対して処理を行うためのフィルタ係数群、画像特徴量検出のための閾値、システムの動作に関わるパラメータまたは閾値のいずれかの情報である従情報を格納し得る従情報格納部と、
従情報を取得するためのトリガーを受信するトリガー受信部と、
１以上の従情報を受信し、前記従情報格納部に蓄積する従情報受信部と、
前記トリガー受信部が受信したトリガーに対応する従情報を前記従情報格納部から取得し、当該従情報を用いて、前記主情報を処理し、出力する情報である２以上の各出力情報を取得する出力情報取得部と、
前記２以上の各出力情報を不連続に出力する出力部とを具備する情報処理装置であって、
前記従情報受信部は、
前記出力部が２以上の各出力情報を出力している時間帯でも、前記従情報を受信する情報処理装置。
【請求項２】
前記トリガーを用いて、前記トリガーに対応する従情報を受信中に、前記出力情報取得部が主情報を処理し、出力情報を取得したか否かを判断する判断部と、
前記判断部が、前記トリガーに対応する従情報を受信中に、前記出力情報取得部が主情報を処理し、出力情報を取得したと判断した場合、当該出力情報に対して、予め決められた処理を行うリカバリー部とをさらに具備する請求項１記載の情報処理装置。
【請求項３】
前記リカバリー部は、
前記出力情報を削除する処理、
前記出力情報をブラックアウトする処理、
前記出力情報を直前に取得した出力情報に置き換える処理のうちのいずれかの処理を行う請求項２記載の情報処理装置。
【請求項４】
前記従情報受信部が受信した従情報の種類を判断する従情報種類判断部と、
前記従情報受信部は、
前記従情報の種類が第一の種類である場合は、前記出力情報が出力されている場合でも、前記トリガーに対応する従情報の受信を継続し、
前記従情報の種類が第二の種類である場合は、前記出力情報が出力されている場合には、前記出力情報の出力が完了するのを待って、前記トリガーに対応する従情報の受信を行う請求項１記載の情報処理装置。
【請求項５】
前記主情報は、
一定の間隔を有して不連続に送信される画像である請求項１から請求項４いずれか記載の情報処理装置。
【請求項６】
前記従情報は、画像処理を行うための１以上のパラメータである請求項５記載の情報処理装置。
【請求項７】
主情報受信部、トリガー受信部、従情報受信部、出力情報取得部、および出力部により実現される情報処理方法であって、
前記主情報受信部が、出力される情報の元になる情報である２以上の各主情報を受信する主情報受信ステップと、
前記トリガー受信部が、主情報を処理して、出力する情報である出力情報を取得する際に使用される情報であり、主情報に対して処理を行うためのフィルタ係数群、画像特徴量検出のための閾値、システムの動作に関わるパラメータまたは閾値のいずれかの情報である従情報を取得するためのトリガーを受信するトリガー受信ステップと、
前記従情報受信部が、１以上の従情報を受信し、記録媒体に蓄積する従情報受信ステップと、
前記出力情報取得部が、前記トリガーに対応する従情報を前記記録媒体から取得し、当該従情報を用いて、前記主情報を処理し、出力する情報である２以上の各出力情報を取得する出力情報取得ステップと、
前記出力部が、前記２以上の各出力情報を不連続に出力する出力ステップとを具備する情報処理方法であって、
前記従情報受信ステップにおいて、
前記出力ステップで２以上の各出力情報を出力している時間帯でも、前記従情報を受信する情報処理方法。
【請求項８】
コンピュータを、
出力される情報の元になる情報である２以上の各主情報を受信する主情報受信部と、
主情報を処理して、出力する情報である出力情報を取得する際に使用される情報であり、主情報に対して処理を行うためのフィルタ係数群、画像特徴量検出のための閾値、システムの動作に関わるパラメータまたは閾値のいずれかの情報である従情報を取得するためのトリガーを受信するトリガー受信部と、
１以上の従情報を受信し、記憶媒体に蓄積する従情報受信部と、
前記トリガーに対応する従情報を前記記憶媒体から取得し、当該従情報を用いて、前記主情報を処理し、出力する情報である２以上の各出力情報を取得する出力情報取得部と、
前記２以上の各出力情報を不連続に出力する出力部として機能させるためのプログラムであって、
前記従情報受信部は、
前記出力部が２以上の各出力情報を出力している時間帯でも、前記従情報を受信するものとして、コンピュータを機能させるためのプログラム。
【発明の詳細な説明】
【技術分野】
【０００１】
本発明は、例えば、画像や音声などの情報を処理する情報処理装置等に関するものである。
【背景技術】
【０００２】
従来の情報処理装置の一つであるテレビジョン装置において、出力される元になる画像（後述する主情報の一例）を不連続に受信し、当該画像間の区間である垂直帰線消去区間に、前記画像を処理するためのフィルタ係数の集合（後述する従情報の一例）を受信していた。そして、従来のテレビジョン装置において、受信したフィルタ係数の集合を用いて、画像を処理し、出力する画像を構成し、出力していた。
【０００３】
また、従来の情報処理装置の一つであるノイズ除去装置において、 入力映像信号の垂直帰線期間内で任意の期間を選別し、当該選別した期間内の信号に含まれるノイズ成分値を検出するノイズ検出手段と、前記検出したノイズ成分値を保存する保存手段と、前記保存されたノイズ成分値を全ての水平周期で加算して、有効走査期間の映像信号に含まれるノイズを除去するための補正信号を生成する補正信号生成手段と、前記補正信号を用いて、前記入力映像信号に含まれるノイズを除去するノイズ補正手段とを有することを特徴とする装置があった（例えば、特許文献１参照）。
【先行技術文献】
【特許文献】
【０００４】
【特許文献１】特開２００１−１７７７３９号公報（第１頁、第１図等）
【発明の概要】
【発明が解決しようとする課題】
【０００５】
しかしながら、従来の情報処理装置においては、従情報の受信を主情報の受信の間に行うように、受信時にウエイトしたり、送信するタイミングを合わせたりする装置の構成が複雑であった。
【課題を解決するための手段】
【０００６】
本第一の発明の情報処理装置は、出力される情報の元になる情報である２以上の各主情報を受信する主情報受信部と、主情報とは異なる従情報を格納し得る従情報格納部と、従情報を受信するトリガーを受信するトリガー受信部と、１以上の従情報を受信し、従情報格納部に蓄積する従情報受信部と、トリガーに対応する従情報を用いて、主情報を処理し、出力する情報である２以上の各出力情報を取得する出力情報取得部と、２以上の各出力情報を不連続に出力する出力部とを具備する情報処理装置であって、従情報受信部は、出力部が２以上の各出力情報を出力している時間帯でも、従情報を受信する情報処理装置である。
【０００７】
かかる構成により、簡易な構成で、主情報と従情報とを受信できる。
【０００８】
また、本第二の発明の情報処理装置は、第一の発明に対して、トリガーを用いて、トリガーに対応する従情報を受信中に、出力部が出力情報を出力しようとしているか否かを判断する判断部と、判断部が、トリガーに対応する従情報を受信中に、出力部が出力情報を出力しようとしていると判断した場合、出力情報に対して、予め決められた処理を行うリカバリー部とをさらに具備する情報処理装置である。
【０００９】
かかる構成により、簡易な構成で主情報と従情報とを受信でき、かつ主情報と従情報の受信期間が重なった場合に、適切なリカバリーが可能となる。
【００１０】
また、本第三の発明の情報処理装置は、第二の発明に対して、リカバリー部は、出力情報を削除する処理、出力情報をブラックアウトする処理、出力情報を直前に取得した出力情報に置き換える処理のうちのいずれかの処理を行う情報処理装置である。
【００１１】
かかる構成により、簡易な構成で主情報と従情報とを受信でき、かつ主情報と従情報の受信期間が重なった場合に、適切なリカバリーが可能となる。
【００１２】
また、本第四の発明の情報処理装置は、第一の発明に対して、従情報受信部が受信した従情報の種類を判断する従情報種類判断部と、従情報受信部は、従情報の種類が第一の種類である場合は、出力情報が出力されている場合でも、トリガーに対応する従情報の受信を継続し、従情報の種類が第二の種類である場合は、出力情報が出力されている場合には、出力情報の出力が完了するのを待って、トリガーに対応する従情報の受信を行う情報処理装置である。
【００１３】
かかる構成により、従情報の種類に合わせて、適切に主情報を処理できる。
【発明の効果】
【００１４】
本発明による情報処理装置によれば、簡易な構成で、主情報と従情報とを受信できる。
【図面の簡単な説明】
【００１５】
【図１】実施の形態１における情報処理装置１のブロック図
【図２】同情報処理装置１の動作について説明するフローチャート
【図３】同情報処理装置１の動作を概念的に説明するためのブロック図
【図４】同情報処理装置１で受信される情報と出力画像のタイミング関係図
【図５】同コンピュータシステムの概観図
【図６】同コンピュータシステムのブロック図
【発明を実施するための形態】
【００１６】
以下、情報処理装置等の実施形態について図面を参照して説明する。なお、実施の形態において同じ符号を付した構成要素は同様の動作を行うので、再度の説明を省略する場合がある。
【００１７】
（実施の形態１）
本実施の形態において、従情報を用いて、主情報を処理して、処理した情報である出力情報を不連続に出力する情報処理装置であって、主情報の出力中でも、従情報の受信が可能な情報処理装置について説明する。
【００１８】
図１は、本実施の形態における情報処理装置１のブロック図である。情報処理装置１は、従情報格納部１０１、主情報受信部１０２、トリガー受信部１０３、従情報受信部１０４、出力情報取得部１０５、判断部１０６、リカバリー部１０７、従情報種類判断部１０８、および出力部１０９を備える。
【００１９】
従情報格納部１０１は、従情報を格納し得る。従情報は、主情報とは異なる情報であり、例えば、画像や音声などの主情報に対して処理を行うためのフィルタ係数群や、主情報の処理に利用されるパラメータ群などである。つまり、従情報は、通常、出力される情報の元になる情報である主情報を処理して、出力情報を取得する際に使用される情報である。
【００２０】
従情報格納部１０１は、通常、ＲＡＭまたはレジスタである。なお、従情報格納部１０１は、揮発性の記録媒体とは限らず、不揮発性の記録媒体でも良い。
【００２１】
主情報受信部１０２は、２以上の主情報を受信する。主情報受信部１０２は、通常、２以上の主情報を順次、受信する。主情報は、出力される情報の元になる情報である。また、２以上の各主情報は、例えば、一定の間隔を有して不連続に出力される画像（出力情報の例）の元になる画像である。主情報は、例えば、画像、音声などである。さらに具体的には、主情報は、例えば、テレビの番組を構成する元になる各フレームである。
【００２２】
主情報受信部１０２は、通常、放送を受信する手段や、無線または有線の通信手段で実現され得る。
【００２３】
トリガー受信部１０３は、従情報を受信するトリガーを受信する。ここで、トリガーとは、例えば、従情報格納部１０１の中のアドレスを示す情報、カウンタ、カウンタをインクメントするための信号などである。また、トリガーは、従情報の種類を識別する種類識別子を含んでも良い。なお、すべてのトリガーに種類識別子が含まれていても良いし、従情報の種類が変更する場合に、当該従情報に対応するトリガーのみに種類識別子が含まれていても良い。
【００２４】
トリガー受信部１０３は、例えば、他の装置や、他のチップ等から、例えば、バスを経由してトリガーを受信する。ただし、トリガー受信部１０３は、例えば、無線または有線の通信手段によりトリガーを受信したり、放送を受信する手段でトリガーを受信したりしても良い。
【００２５】
従情報受信部１０４は、１以上の従情報を受信し、従情報格納部１０１に蓄積する。従情報受信部１０４は、通常、後述する出力部１０９が２以上の各出力情報を出力している時間帯でも、従情報を受信する。
【００２６】
ただし、従情報の種類に応じて、従情報受信部１０４は、従情報の受信のタイミングや受信方法を変更しても良い。従情報受信部１０４は、従情報の種類が第一の種類である場合は、出力情報が出力されている場合でも、トリガーに対応する従情報の受信を継続し、完了する。また、従情報受信部１０４は、従情報の種類が第二の種類である場合は、出力情報が出力されている場合には、出力情報の出力が完了するのを待って、トリガーに対応する従情報の受信を行う。なお、第一の種類の従情報とは、主情報の処理に影響が少ない従情報である。第一の種類の従情報は、例えば、画像である主情報に対して処理を行うためのフィルタ係数群や、静動判定のための動き量閾値または明部・暗部判定のための画素値閾値等の画像特徴量検出のための閾値などである。また、第二の種類の従情報とは、主情報の処理に影響が大きい従情報である。第二の種類の従情報は、例えば、画枠設定情報またはＦＰ検出閾値等のシステムの動作に関わるパラメータや閾値などである。  
【００２７】
また、従情報受信部１０４における従情報の受信は、通常、主情報の受信とは独立に行われる。また、通常、従情報の受信とトリガーの受信とは独立に行われる。
【００２８】
従情報受信部１０４は、放送を受信する手段により、無線または有線の通信手段により、または外部の装置やチップ等からバスを経由して、従情報を受信する。
【００２９】
出力情報取得部１０５は、トリガーに対応する従情報を用いて、主情報を処理し、出力する情報である２以上の各出力情報を取得する。つまり、出力情報取得部１０５は、トリガーに対応する従情報を従情報格納部１０１から読み出し、当該従情報を用いて、主情報を処理し、出力情報を取得する。なお、ここでの処理とは、例えば、ノイズ除去、解像度創造（例えば、特許第３０７２３０６号公報参照）などであり、その処理内容は問わない。
【００３０】
出力情報取得部１０５は、通常、ＭＰＵやメモリ等から実現され得る。判断部１０６の処理手順は、通常、ソフトウェアで実現され、当該ソフトウェアはＲＯＭ等の記録媒体に記録されている。但し、ハードウェア（専用回路）で実現しても良い。
【００３１】
判断部１０６は、トリガーを用いて、トリガーに対応する従情報を受信中に、出力部１０９が出力情報を出力しようとしているか否かを判断する。また、判断部１０６は、トリガーに対応する従情報を受信中に、出力情報取得部１０５が主情報を処理し、出力情報を取得したか否かを判断しても良い。判断部１０６における、上記の２つの判断は、同意義である。
【００３２】
判断部１０６は、通常、ＭＰＵやメモリ等から実現され得る。判断部１０６の処理手順は、通常、ソフトウェアで実現され、当該ソフトウェアはＲＯＭ等の記録媒体に記録されている。但し、ハードウェア（専用回路）で実現しても良い。
【００３３】
リカバリー部１０７は、判断部１０６が、トリガーに対応する従情報を受信中に、出力部１０９が出力情報を出力しようとしていると判断した場合、出力情報に対して、予め決められた処理を行う。予め決められた処理は、例えば、出力情報を捨てる、出力情報をブラックアウトする、出力情報を直前に取得した出力情報に置き換える等であり、その処理内容は種々考えられる。
【００３４】
リカバリー部１０７は、通常、ＭＰＵやメモリ等から実現され得る。リカバリー部１０７の処理手順は、通常、ソフトウェアで実現され、当該ソフトウェアはＲＯＭ等の記録媒体に記録されている。但し、ハードウェア（専用回路）で実現しても良い。
【００３５】
従情報種類判断部１０８は、従情報受信部１０４が受信した従情報の種類を判断する。従情報受信部１０４が受信した従情報は、例えば、従情報の種類を識別する種類識別子を保持しており、従情報種類判断部１０８は、かかる種類識別子を検査し、従情報の種類を判断する。また、例えば、トリガー受信部１０３が受信したトリガーが種類識別子を含んでいる場合、従情報種類判断部１０８は、トリガーが有する種類識別子を検査し、従情報の種類を判断しても良い。なお、かかるトリガーは、通常、最近に受信されたトリガー、または最近に受信された種類識別子を有するトリガーである。また、従情報種類判断部１０８が従情報の種類を判断する方法は、上記の２つの方法だけではなく、他の方法でも良い。
【００３６】
従情報種類判断部１０８は、通常、ＭＰＵやメモリ等から実現され得る。従情報種類判断部１０８の処理手順は、通常、ソフトウェアで実現され、当該ソフトウェアはＲＯＭ等の記録媒体に記録されている。但し、ハードウェア（専用回路）で実現しても良い。
【００３７】
出力部１０９は、２以上の各出力情報を不連続に出力する。ここで、不連続とは、時間的に不連続であることである。これは、例えば、画像を出力する区間の間に、垂直帰線消去区間が存在することである。
【００３８】
出力部１０９は、ディスプレイやスピーカー等の出力デバイスを含むと考えても含まないと考えても良い。出力部１０９は、出力デバイスのドライバーソフトまたは、出力デバイスのドライバーソフトと出力デバイス等で実現され得る。
【００３９】
次に、情報処理装置１の動作について、図２のフローチャートを用いて説明する。なお、図２のフローチャートにおいて、主情報、従情報、およびトリガーは、独立に受信されている、とする。
【００４０】
（ステップＳ２０１）主情報受信部１０２は、主情報を受信したか否かを判断する。主情報を受信すればステップＳ２０２に行き、主情報を受信しなければステップＳ２０１に戻る。
【００４１】
（ステップＳ２０２）判断部１０６は、従情報受信部１０４が従情報を受信中であるか否かを判断する。従情報を受信中であればステップＳ２０３に行き、受信中でなければステップＳ２０７に行く。
【００４２】
（ステップＳ２０３）従情報種類判断部１０８は、受信中の従情報の種類識別子を取得する。
【００４３】
（ステップＳ２０４）従情報種類判断部１０８は、ステップＳ２０３で取得した種類識別子が示す種類が「第一の種類」であるか否かを判断する。「第一の種類」であればステップＳ２０５に行き、「第二の種類」であればステップＳ２０７に行く。
【００４４】
（ステップＳ２０５）リカバリー部１０７は、リカバリー処理を行う。リカバリー処理は、例えば、ブラックアウトしたフレームを取得する処理でも良いし、直前に出力した出力情報を取得する処理でも良いし、直前に受信を完了した従情報を取得し、当該従情報を用いて、最近に受信した主情報を処理し、出力情報を取得する処理等でも良い。
【００４５】
（ステップＳ２０６）出力部１０９は、ステップＳ２０５でリカバリー処理され、取得された出力情報を出力する。ステップＳ２０１に戻る。
【００４６】
（ステップＳ２０７）出力情報取得部１０５は、トリガー受信部１０３が受信したトリガーに対応する従情報を従情報格納部１０１から読み出す。
【００４７】
（ステップＳ２０８）出力情報取得部１０５は、ステップＳ２０１で受信された主情報に対して、ステップＳ２０７で取得した従情報を用いて処理し、出力情報を取得する。
【００４８】
（ステップＳ２０９）出力部１０９は、ステップＳ２０８で取得された出力情報を出力する。ステップＳ２０１に戻る。
【００４９】
なお、図２のフローチャートにおいて、従情報受信部１０４が従情報を受信中でも、出力情報取得部１０５が出力情報を取得し、出力部１０９が当該出力情報を出力しても良い。
【００５０】
また、図２のフローチャートにおいて、従情報の種類に関わらず、ステップＳ２０５以降の処理を行っても良い。
【００５１】
また、図２のフローチャートにおいて、ステップＳ２０５におけるリカバリー処理を行わなくても良い。
【００５２】
なお、図２のフローチャートにおいて、電源オフや処理終了の割り込みにより処理は終了する。
【００５３】
以下、本実施の形態における情報処理装置１の具体的な動作について説明する。ここでは、例えば、情報処理装置１はテレビジョン受信機である。また、情報処理装置１は、図３に示すように、従情報格納部１０１、主情報受信部１０２、トリガー受信部１０３、従情報受信部１０４、出力情報取得部１０５、および出力部１０９を備える。
【００５４】
そして、図３において、トリガー受信部１０３が1回トリガーを受信すると、従情報格納部１０１へのポインタを示すカウンタが最小値から最大値まで、一つずつインクリメントされながら、従情報格納部１０１の各アドレスに一つ一つフィルタ係数が格納される。そして、次に、トリガー受信部１０３がトリガーを受信すると、カウンタは、再度、初期値である最小値に戻り、最小値から最大値まで、一つずつインクリメントされながら、従情報格納部１０１の各アドレスに一つ一つフィルタ係数を上書きしていく。
なお、図３において、従情報格納部１０１の容量が十分に大きい場合、トリガー受信部１０３がトリガーを受信するごとに、カウンタがインクリメントされる構成でも良い。そして、電源ＯＦＦなどのトリガーにより、または、カウンタが最大値までになった場合に、カウンタが初期値である最小値に戻るようにしても良い。
【００５５】
また、図３において、主情報受信部１０２、トリガー受信部１０３、および従情報受信部１０４は、それぞれ番組を構成する画像、トリガー、および画像に対する処理を行うフィルタ（例えば、画像の解像度を増加させるフィルタや、ノイズを除去するフィルタなど）に用いるフィルタ係数群を、独立に受信する。
【００５６】
そして、図３において、出力部１０９が出力情報を出力している時間帯でも、従情報受信部１０４は、従情報を受信する。つまり、従情報受信部１０４は、出力情報の出力を完了することなく、従情報を受信する。かかることは、言い換えれば、出力情報取得部１０５は、フィルタ係数群（従情報の一例）が完全に受信されていない場合でも、当該不完全なフィルタ係数群を用いて、画像を処理し、出力画像（出力情報の一種）を取得する。そして、出力部１０９は、不完全なフィルタ係数群を用いて取得された出力画像を出力する。
【００５７】
上記の情報処理装置１の処理を、受信される情報と、出力画像のタイミングに着目したタイミング関係図が図４である。
【００５８】
図４に示すように、テレビジョン受信機は、垂直同期信号（Ｖ）により、描画する際に垂直方向のタイミングをとり、出力画像を画面上に出力していく。かかる出力画像を画面上に出力する時間帯が、図４の４０１に示した「走査線の走る時間」である。そして、従来技術におけるテレビジョン受信機は、走査線の走る時間外の時間である垂直帰線消去区間（４０２）の間に、フィルタ係数群をダウンロードしていた。
【００５９】
そして、ダウンロードした従情報（ここでは、フィルタ係数群）は内部ロジック（ここでは、出力情報取得部１０５）にコピー等をせず、出力画像の描画の度に従情報格納部１０１からその都度出力する。
【００６０】
また、図４の４０３に示すように、情報処理装置１では、フィルタ係数群の受信の時間帯と、出力画像の描画の時間帯とに重複期間が存在する場合でも、従情報受信部１０４は、フィルタ係数群を受信する。これは、情報処理装置１において、短時間であれば正しいフィルタ係数群が使われずに、出力画像が構成されても良い、という前提で、任意のタイミングでのフィルタ係数群のダウンロードを可能とする趣旨である。
【００６１】
また、図４の４０４に示すように、情報処理装置１では、出力画像の描画の度に、出力情報取得部１０５はフィルタ係数群を読み直すため、次のフレームでは、ダウンロード完了後の正しいフィルタ係数群が使われ、正しい出力画像が構成されている。
【００６２】
なお、上記の具体例において、情報処理装置１が、判断部１０６、リカバリー部１０７、および従情報種類判断部１０８を具備しない場合について説明した。しかし、図２のフローチャートを用いて説明したように、情報処理装置１は、従情報格納部１０１、主情報受信部１０２、トリガー受信部１０３、従情報受信部１０４、出力情報取得部１０５、および出力部１０９に加えて、判断部１０６、リカバリー部１０７、および従情報種類判断部１０８を具備しても良い。
【００６３】
また、情報処理装置１は、従情報格納部１０１、主情報受信部１０２、トリガー受信部１０３、従情報受信部１０４、出力情報取得部１０５、および出力部１０９に加えて、従情報種類判断部１０８のみを具備しても良い。かかる場合、上述したリカバリー処理は行われない。ただし、かかる場合、情報処理装置１の従情報受信部１０４は、従情報の種類が第一の種類である場合は、出力情報が出力されている場合でも、トリガーに対応する従情報の受信を継続し、従情報の種類が第二の種類である場合は、出力情報が出力されている場合には、出力情報の出力が完了するのを待って、前記トリガーに対応する従情報の受信を行う、という動作を行う。
【００６４】
以上、本実施の形態によれば、簡易な構成で、主情報と従情報とを受信できる。また、本実施の形態によれば、簡易な構成で主情報と従情報とを受信でき、かつ出力情報の出力期間と従情報の受信期間が重なった場合に、適切なリカバリーが可能となる。
【００６５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、出力される情報の元になる情報である２以上の各主情報を受信する主情報受信部と、主情報とは異なる従情報を受信するトリガーを受信するトリガー受信部と、１以上の従情報を受信し、記憶媒体に蓄積する従情報受信部と、前記トリガーに対応する従情報を用いて、前記主情報を処理し、出力する情報である２以上の各出力情報を取得する出力情報取得部と、
前記２以上の各出力情報を不連続に出力する出力部として機能させるためのプログラムであって、前記従情報受信部は、前記出力部が２以上の各出力情報を出力している時間帯でも、前記従情報を受信するものとして、コンピュータを機能させるためのプログラムである。
【００６６】
また、上記プログラムにおいて、コンピュータを、前記トリガーを用いて、前記トリガーに対応する従情報を受信中に、前記出力部が前記出力情報を出力しようとしているか否かを判断する判断部と、前記判断部が、前記トリガーに対応する従情報を受信中に、前記出力部が前記出力情報を出力しようとしていると判断した場合、当該出力情報に対して、予め決められた処理を行うリカバリー部としてさらに機能させるプログラムであることは好適である。
【００６７】
また、上記プログラムにおいて、前記リカバリー部は、前記出力情報をブラックアウトするものとして機能させるプログラムであることは好適である。
【００６８】
また、上記プログラムにおいて、コンピュータを、前記従情報受信部が受信した従情報の種類を判断する従情報種類判断部としてさらに機能させ、前記従情報受信部は、前記従情報の種類が第一の種類である場合は、前記出力情報が出力されている場合でも、前記トリガーに対応する従情報の受信を継続し、前記従情報の種類が第二の種類である場合は、前記出力情報が出力されている場合には、前記出力情報の出力が完了するのを待って、前記トリガーに対応する従情報の受信を行うものとして機能させるプログラムであることは好適である。
【００６９】
また、図５は、本明細書で述べたプログラムを実行して、上述した種々の実施の形態の情報処理装置を実現するコンピュータの外観を示す。上述の実施の形態は、コンピュータハードウェア及びその上で実行されるコンピュータプログラムで実現され得る。図５は、このコンピュータシステム３００の概観図であり、図６は、システム３００のブロック図である。
【００７０】
図５において、コンピュータシステム３００は、ＦＤドライブ、ＣＤ−ＲＯＭドライブを含むコンピュータ３０１と、キーボード３０２と、マウス３０３と、モニタ３０４と、マイク３０５と、スピーカー３０６とを含む。
【００７１】
図６において、コンピュータ３０１は、ＦＤドライブ３０１１、ＣＤ−ＲＯＭドライブ３０１２に加えて、ＭＰＵ３０１３と、ＭＰＵ３０１３、ＣＤ−ＲＯＭドライブ３０１２及びＦＤドライブ３０１１に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【００７２】
コンピュータシステム３００に、上述した実施の形態の情報処理装置の機能を実行させるプログラムは、ＣＤ−ＲＯＭ３１０１、またはＦＤ３１０２に記憶されて、ＣＤ−ＲＯＭドライブ３０１２またはＦＤドライブ３０１１に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１、ＦＤ３１０２またはネットワークから直接、ロードされても良い。
【００７３】
プログラムは、コンピュータ３０１に、上述した実施の形態の情報処理装置の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【００７４】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【００７５】
また、上記プログラムを実行するコンピュータは、単数であってもよく、複数であってもよい。すなわち、集中処理を行ってもよく、あるいは分散処理を行ってもよい。
【００７６】
また、上記各実施の形態において、各処理（各機能）は、単一の装置（システム）によって集中処理されることによって実現されてもよく、あるいは、複数の装置によって分散処理されることによって実現されてもよい。
【００７７】
本発明は、以上の実施の形態に限定されることなく、種々の変更が可能であり、それらも本発明の範囲内に包含されるものであることは言うまでもない。
【産業上の利用可能性】
【００７８】
以上のように、本発明にかかる情報処理装置は、簡易な構成で、主情報と従情報とを受信できる、という効果を有し、情報処理装置等として有用である。
【符号の説明】
【００７９】
１  情報処理装置
１０１  従情報格納部
１０２  主情報受信部
１０３  トリガー受信部
１０４  従情報受信部
１０５  出力情報取得部
１０６  判断部
１０７  リカバリー部
１０８  従情報種類判断部
１０９  出力部
【図１】
0005795922.tif 000002
【図２】
0005795922.tif 000003
【図５】
0005795922.tif 000004
【図６】
0005795922.tif 000005
【図３】
0005795922.tif 000006
【図４】
0005795922.tif 000007